(57)【要約】【課題】  リブート後のユーザの操作軽減を図ることができる画像形成装置を提供する。【解決手段】  システムにとって致命的なエラー発生時、自発的にシステムリブート処理を行い、システムリブート後の再画像形成時に、リブート前の設定に戻す制御を行うシステム制御手段６を備えた画像形成装置。【選択図】        図１
2007050676.tif 000002
【特許請求の範囲】
【請求項１】
システムにとって致命的なエラーが発生した時、当該エラー発生前に設定されたモードを記憶後、自発的にシステムリブート処理を行い、システムリブート後の再画像形成時に前記エラー発生前に設定されたモードに戻す制御を行うシステム制御手段を備えたことを特徴とする画像形成装置。
【請求項２】
請求項１の画像形成装置において、システムリブート後の再画像形成時に、再読み取りを行う際、前記エラー発生前に設定されたモードで読み取るのか、当該モードをクリアするのか選択するための操作・表示・通知手段を備えたことを特徴とする画像形成装置。
【請求項３】
請求項１の画像形成装置において、システムリブート後の再画像形成時に、再読み取りを行う際、前記エラー発生前に設定されたモードで読み取るのか、モードクリアにて読み取るのか、事前に初期設定するための操作・表示・通知手段を備えたことを特徴とする画像形成装置。
【発明の詳細な説明】
【技術分野】
【０００１】
本発明は、コピー、ＦＡＸ、スキャナ等の読み取り画像を処理する画像形成装置に関する。
【背景技術】
【０００２】
スキャナ動作時に異常が発生した場合、その読み取りを再開する技術は、例えば特許文献１等に開示されている。また、システムの異常発生時に、その原因が誤検知による異常であったり、あるいはシステムリブートにより復帰可能な場合、ユーザによる手動リブートなしでも、システムによる自発的リブートにより画像形成動作を復帰させ、ユーザの手間を低減させる技術はすでに実現されている。
【特許文献１】特開平０８−０４６７６３号公報
【発明の開示】
【発明が解決しようとする課題】
【０００３】
上述したように、システムの異常発生時に、その原因が誤検知による異常でありシステムリブートにより復帰可能な場合、ユーザによる手動リブートなしでも、システムによる自発的リブートによって復帰させ、ユーザの作業を低減させる技術はすでに商品化されているが、リブート後のユーザの操作軽減がさらに要求されている。
本発明は、リブート後のユーザの操作軽減を図ることができる画像形成装置を提供することを目的とする。
【課題を解決するための手段】
【０００４】
上記目的を達成するために、請求項１記載の発明は、システムにとって致命的なエラーが発生した時、当該エラー発生前に設定されたモードを記憶後、自発的にシステムリブート処理を行い、システムリブート後の再画像形成時に前記エラー発生前に設定されたモードに戻す制御を行うシステム制御手段を備えたことを特徴とする。
請求項２記載の発明は、請求項１の画像形成装置において、システムリブート後の再画像形成時に、再読み取りを行う際、前記エラー発生前に設定されたモードで読み取るのか、当該モードをクリアするのか選択するための操作・表示・通知手段を備えたことを特徴とする。
請求項３記載の発明は、請求項１の画像形成装置において、システムリブート後の再画像形成時に、再読み取りを行う際、前記エラー発生前に設定されたモードで読み取るのか、モードクリアにて読み取るのか、事前に初期設定するための操作・表示・通知手段を備えたことを特徴とする。
【発明の効果】
【０００５】
本発明は、システムにとって致命的なエラー発生時、自発的にシステムリブート処理を行い、システムリブート後の再画像形成時に、リブート前の設定に戻す制御を行うシステム制御手段を備えたので、リブート後のユーザの操作軽減を図ることができる。
【発明を実施するための最良の形態】
【０００６】
以下、図面を参照して、本発明の実施形態を詳細に説明する。
図１は本発明の実施形態に係る画像形成装置のブロック図である。その構成を動作と併せて説明する。
画像読み取り手段１により読み取られた原稿の画像信号は、データ記憶手段２に入力されデータが格納される。画像読み取り手段１は、必要に応じて原稿搬送手段３にて搬送される原稿画像を読み取ることもある。その後、画像出力手段４により画像形成が行われる。
画像出力手段４は、コピー動作の場合は印刷手段であり、ＦＡＸの場合はＦＡＸ送信相手用通信手段であり、スキャナの場合はＰＣモニタ等への表示手段となる。ユーザからの操作及び指示内容表示や通知は操作・表示・通知手段５が使用される。システム全体の統括制御はシステム制御手段６により行われる。図１の太線が画像データ、細線が制御データを示す。
図２は本発明の画像形成装置における動作フローチャート、図３乃至図６は、図１に示す操作・表示・通知手段の表示内容を示す図である。なお表示内容はこれに限定されない。
（実施例１）
図１、２、３を用いて、実施例１を説明する。画像読み取り手段１により複数枚の原稿画像を読み取り、該画像をデータ記憶手段２に格納する際（Ｓ１）、画像読み取り手段１はシステム制御手段６に、「正常読み取り完了したか」、「原稿給紙完了したか」を問い合わせる。異常動作が発生していなかった場合は（Ｓ２でＮ）、通常通り、格納画像を用いた画像出力動作を行う（Ｓ６）。
異常動作発生時（Ｓ２でＹ）、システム制御手段６は設定されているモードを記憶し（Ｓ３）、自発的にシステムリブートを行う（Ｓ４）。リブート後にシステム制御手段６は、リブート前のモードに再設定し（図３は表示例）、ユーザがスタートボタン押下後に動作が再開される（Ｓ５）。
【０００７】
（実施例２）
図１、４を用いて、実施例２を説明する。システム制御手段６は、操作・表示・通知手段５により図４に示すように通知を行う（異常検知における再起動通知）。ユーザが「はい」を選択した場合、画像形成がリブート前の状態から再開される。ユーザが「いいえ」を選択した場合、モードがクリアされる。
（実施例３）
図１、５を用いて、実施例３を説明する。システム制御手段６は、操作・表示・通知手段５の初期設定画面により図５に示す旨の通知を行う（異常検知後の再起動時の選択）。Ａ選択の場合、リブート後に図３の画面が、Ｂ選択の場合、リブート後に図６の画面（再起動通知画面）がデフォルト表示される。
（実施例４）
図１、３、４、６を用いて、実施例４を説明する。システム制御手段６は、操作・表示・通知手段５において、図３、４、６に示す旨の通知を画面の表示により行う。ユーザにとって視覚的に理解しやすくなる。
（実施例５）
図１、３、４、６を用いて、実施例５を説明する。システム制御手段６は、操作・表示・通知手段５において、図３、４、６に示す旨の通知を画面の表示及び音声ガイドにより行う。視覚的に、更には聴覚的にも理解しやすくなる。
【図面の簡単な説明】
【０００８】
【図１】本発明の実施形態に係る画像形成装置のブロック図。
【図２】本発明の画像形成装置における動作フローチャート。
【図３】図１に示す操作・表示・通知手段の表示内容を示す図（その１）。
【図４】図１に示す操作・表示・通知手段の表示内容を示す図（その２）。
【図５】図１に示す操作・表示・通知手段の表示内容を示す図（その３）。
【図６】図１に示す操作・表示・通知手段の表示内容を示す図（その４）。
【符号の説明】
【０００９】
１  画像読み取り手段、２  データ記憶手段、３  原稿搬送手段、４  画像出力手段、５  操作・表示・通知手段、６  システム制御手段
【図１】
2007050676.tif 000003
【図２】
2007050676.tif 000004
【図３】
2007050676.tif 000005
【図４】
2007050676.tif 000006
【図５】
2007050676.tif 000007
【図６】
2007050676.tif 000008